(57)【要約】    【課題】ブラシ束が床面に接触する領域を大きくして、良好に掃除を行うことのできる電気掃除機およびそのロータリブラシを提供すること。    【解決手段】第１傾斜列２９のブラシ束２６は、端部回転軸２３の周面に、ロータリブラシの軸方向中心側へ向かって傾くように植立されている。第２傾斜列３０のブラシ束２６は、端部回転軸２３の周面に、ロータリブラシの軸方向端部へ向かって傾くように植立されている。また、端部回転軸２３が回転した際に、第１傾斜列２９の各ブラシ束２６の先端が回転する回転軌跡と、第２傾斜列３０の各ブラシ束２６が回転する回転軌跡とが重なり合わないように配置されている。これにより、端部回転軸２３が回転したときに、端部回転軸２３と対向する床面に対してブラシ束２６が接触する領域が大きくなり、ブラシ束２６がゴミを良好に掻き上げる。【選択図】            図６
2006174954.tif 000002
【特許請求の範囲】
【請求項１】
長手をした回転軸と、回転軸の周面に植立され、軸方向に並ぶ列をなす多数のブラシ束とを有する電気掃除機用のロータリブラシであって、
上記回転軸の両端から軸方向中心に向かって所定長さまでの両側各領域に植立されたブラシ束の列は、それぞれ、上記回転軸の回転方向に対向する第１の列および第２の列を有し、
上記第１の列は、ブラシ束が軸方向中心側へ向かって傾くように植立され、
上記第２の列は、ブラシ束が軸方向端部へ向かって傾くように植立されていることを特徴とする電気掃除機用ロータリブラシ。
【請求項２】
上記第１の列および第２の列は、それぞれ、上記回転軸の軸方向に直線状に延びていて、かつ、上記回転軸の回転方向に１８０°隔てて配置されていることを特徴とする請求項１に記載の電気掃除機用ロータリブラシ。
【請求項３】
上記第１の列の各ブラシ束の先端が回転する回転軌跡と、上記第２の列の各ブラシ束の先端が回転する回転軌跡とが、重なり合わないように、各ブラシ束の植立位置および傾斜角度が設定されていることを特徴とする請求項２に記載の電気掃除機用ロータリブラシ。
【請求項４】
上記回転軸の両端から軸方向中心に向かって所定の長さ入った位置に、上記回転軸を回転自在に支持する左右の軸受が備えられており、
上記軸受の外側の上記回転軸の周面に、上記ブラシ束の第１の列および第２の列が植立されていることを特徴とする請求項１〜３のいずれかに記載の電気掃除機用ロータリブラシ。
【請求項５】
上記左右の軸受間の上記回転軸の周面には、軸方向に並び、かつ、螺旋状に延び、上記回転軸の回転方向に対向する少なくとも２列のブラシ束の列が植立されていることを特徴とする請求項４に記載の電気掃除機用ロータリブラシ。
【請求項６】
上記回転軸の両端面は、軸方向中心へ向かって円錐状に凹んだ凹部を有することを特徴とする請求項１〜５のいずれかに記載の電気掃除機用ロータリブラシ。
【請求項７】
上記左右の軸受の外側の回転軸は、上記左右の軸受間の回転軸とは別部材で構成されており、
上記外側の回転軸の外側端面は、軸方向中心へ向かって円錐状に凹んだ凹部を有し、その凹部内に、この外側の回転軸を左右の軸受間の回転軸に連結するための取付ネジが埋設されていることを特徴とする請求項４に記載の電気掃除機用ロータリブラシ。
【請求項８】
掃除機本体と、掃除機本体の下端に取付けられた吸引ヘッドとを含む電気掃除機において、
上記吸引ヘッドは、
ヘッドケースと、
上記ヘッドケース内に、左右方向に延びるように配置された長手のロータリブラシと、
上記ロータリブラシの左右両端部に対向する上記ヘッドケースの上面に形成され、上記ロータリブラシを視認できる窓と、
上記窓に嵌められ、上記窓を被うと共に上記窓の枠と重なり合うように固定された透明なカバーと、を有することを特徴とする電気掃除機。
【請求項９】
上記ロータリブラシは、請求項１〜７のいずれかに記載のロータリブラシであることを特徴とする請求項８に記載の電気掃除機。
【発明の詳細な説明】
【技術分野】
【０００１】
この発明は、電気掃除機およびそのロータリブラシに関する。
【背景技術】
【０００２】
電気掃除機は、一般的に、床面に沿うように移動することで床面上のゴミを吸い込むことのできる吸引ヘッドを備えており、近年、吸引ヘッドにロータリブラシが設けられた電気掃除機が広く利用されている。
吸引ヘッドの下面には、ゴミを吸い込むための吸込み口が形成されており、この吸込み口にロータリブラシの一部が臨んでいる。ロータリブラシには、ベルトやプーリ等を介してモータの駆動力が伝達されるようになっており、モータが駆動することによりロータリブラシが回転する。また、ロータリブラシの周面には複数のブラシ束が植立されており、ロータリブラシが回転することにより、ブラシ束が床面上のゴミを掻き上げ、そのゴミが吸込み口から吸引ヘッドに吸い込まれていく。これにより、床面上のゴミが良好に吸引ヘッド内に吸い込まれる。この種の電気掃除機が特許文献１に記載されている。
【特許文献１】特開昭５９−１６７７３号公報
【発明の開示】
【発明が解決しようとする課題】
【０００３】
ところで、このような電気掃除機に用いられるロータリブラシとして、周面に形成されるブラシ束がロータリブラシの軸方向一方側に傾いて植立されているものがある。また、このようなロータリブラシでは、特に、ロータリブラシの両端部近傍の周面に植立されるブラシ束が、軸方向一方側に傾いて植立されている。
しかしながら、このようにしてロータリブラシの周面にブラシ束が植立されると、ブラシ束が軸方向一方側に傾いているため、ロータリブラシが回転したときに、床面に対してブラシ束の先端が接触しない部分が生じて、ゴミを掻き上げることができない部分が生じることになる。
【０００４】
この発明は、かかる背景のもとになされたもので、ブラシ束が床面に接触する領域を大きくして、良好に掃除を行うことのできる電気掃除機およびそのロータリブラシを提供することを目的とする。
また、この発明は、良好に掃除を行っていることを確認することのできる電気掃除機を提供することを他の目的とする。
【課題を解決するための手段】
【０００５】
上記目的を達成するための請求項１に記載の発明は、長手をした回転軸（９Ａ）と、回転軸の周面に植立され、軸方向に並ぶ列をなす多数のブラシ束（２６）とを有する電気掃除機用のロータリブラシ（９）であって、上記回転軸の両端から軸方向中心に向かって所定長さまでの両側各領域に植立されたブラシ束の列は、それぞれ、上記回転軸の回転方向に対向する第１の列（２９）および第２の列（３０）を有し、上記第１の列は、ブラシ束が軸方向中心側へ向かって傾くように植立され、上記第２の列は、ブラシ束が軸方向端部へ向かって傾くように植立されていることを特徴とする電気掃除機用ロータリブラシである。
【０００６】
なお、括弧内の英数字は、後述の実施形態における対応構成要素などを表す。以下、この項において同じ。
この構成によれば、第１の列のブラシ束は、軸方向中央側へ向かって傾くように植立され、第２の列のブラシ束は、軸方向端部へ向かって傾くように植立されているので、掃除時にロータリブラシが回転した際に、ロータリブラシの両側各領域の軸方向中心側と対向する床面のゴミを第１の列のブラシ束が掻き上げ、ロータリブラシの両側各領域の軸方向端部側と対向する床面のゴミを第２の列のブラシ束が掻き上げる。よって、床面にブラシ束が偏りなく接触する。ゆえに、ブラシ束が床面に接触する領域を大きくして、床面にゴミの吸い残しがないよう良好に掃除を行うことができる。
【０００７】
請求項２に記載の発明は、上記第１の列（２９）および第２の列（３０）は、それぞれ、上記回転軸（９Ａ）の軸方向に直線状に延びていて、かつ、上記回転軸の回転方向に１８０°隔てて配置されていることを特徴とする請求項１に記載の電気掃除機用ロータリブラシ（９）である。
この構成によれば、第１の列および第２の列は、１８０°隔てて配置されているので、ロータリブラシを回転させた際にブラシ束がバランスよく床面に接触する。よって、バランスよくゴミを掻き上げることができる。
【０００８】
請求項３に記載の発明は、上記第１の列（２９）の各ブラシ束（２６）の先端が回転する回転軌跡と、上記第２の列（３０）の各ブラシ束（２６）の先端が回転する回転軌跡とが、重なり合わないように、各ブラシ束の植立位置および傾斜角度が設定されていることを特徴とする請求項２に記載の電気掃除機用ロータリブラシ（９）である。
この構成によれば、第１の列の各ブラシ束の先端の回転軌跡と、第２の列の各ブラシ束の先端の回転軌跡とが重なり合わない。すなわち、第１の列の各ブラシ束先端の隙間の回転軌跡に第２の列の各ブラシ束先端の回転軌跡が重なり合い、同様に、第２の列の各ブラシ束先端の隙間の回転軌跡に第１の列の各ブラシ束先端の回転軌跡が重なり合うので、ブラシ束の先端が偏りなく床面に接触する。よって、ブラシ束が床面に接触する領域を大きくして、床面にゴミの吸い残しがないよう良好に掃除を行うことができる。
【０００９】
請求項４に記載の発明は、上記回転軸（９Ａ）の両端から軸方向中心に向かって所定の長さ入った位置に、上記回転軸を回転自在に支持する左右の軸受（２２）が備えられており、上記軸受の外側の上記回転軸（２３）の周面に、上記ブラシ束（２６）の第１の列（２９）および第２の列（３０）が植立されていることを特徴とする請求項１〜３のいずれかに記載の電気掃除機用ロータリブラシ（９）である。
【００１０】
この構成によれば、回転軸の両端から軸受までの領域に対向する床面のゴミを偏りなく掻き上げることができる。
請求項５に記載の発明は、上記左右の軸受（２２）間の上記回転軸（２１）の周面には、軸方向に並び、かつ、螺旋状に延び、上記回転軸の回転方向に対向する少なくとも２列のブラシ束の列（２７）が植立されていることを特徴とする請求項４に記載の電気掃除機用ロータリブラシ（９）である。
【００１１】
この構成によれば、軸受間の回転軸の周面には、ブラシ束の列が螺旋状に延びるように形成されているので、軸受間の回転軸と対向する床面のゴミを良好に掻き上げることができる。
請求項６に記載の発明は、上記回転軸（２３）の両端面は、軸方向中心へ向かって円錐状に凹んだ凹部（３１）を有することを特徴とする請求項１〜５のいずれかに記載の電気掃除機用ロータリブラシ（９）である。
【００１２】
この構成によれば、凹部は、回転軸の軸方向中心へ向かって円錐状に凹んでいるので、掃除時にロータリブラシを回転させて床面のゴミを掻き上げる際に、そのゴミが凹部に進入しても、遠心力によりゴミが外方に飛散する。よって、ゴミが凹部に蓄積するのを防ぐことができ、ロータリブラシを清潔に保つことができる。また、凹部へのゴミの進入を防ぐためにキャップ等を被せる必要もないので、簡易な構成でロータリブラシを清潔に保つことができる。
【００１３】
請求項７に記載の発明は、上記左右の軸受（２２）の外側の回転軸（２３）は、上記左右の軸受間の回転軸（２１）とは別部材で構成されており、上記外側の回転軸の外側端面は、軸方向中心へ向かって円錐状に凹んだ凹部（３１）を有し、その凹部内に、この外側の回転軸を左右の軸受間の回転軸に連結するための取付ネジ（３２）が埋設されていることを特徴とする請求項４に記載の電気掃除機用ロータリブラシ（９）である。
【００１４】
この構成によれば、凹部は、回転軸の軸方向中心へ向かって円錐状に凹んでいるので、掃除時にロータリブラシを回転させて床面のゴミを掻き上げる際に、そのゴミが凹部に進入しても、遠心力によりゴミが外方に飛散する。よって、ゴミが凹部に蓄積するのを防ぐことができ、ロータリブラシを清潔に保つことができる。また、凹部へのゴミの進入を防ぐためにキャップ等を被せる必要もないので、簡易な構成でロータリブラシを清潔に保つことができる。
【００１５】
また、凹部内に取付ネジが埋設されているので、取付ネジが回転軸の外部の露出することがなく、取付ネジが掃除の弊害になることがない。
請求項８に記載の発明は、掃除機本体（４）と、掃除機本体の下端に取付けられた吸引ヘッド（３）とを含む電気掃除機（１）において、上記吸引ヘッドは、ヘッドケース（２０）と、上記ヘッドケース内に、左右方向に延びるように配置された長手のロータリブラシ（９）と、上記ロータリブラシの左右両端部に対向する上記ヘッドケースの上面に形成され、上記ロータリブラシを視認できる窓（３３）と、上記窓に嵌められ、上記窓を被うと共に上記窓の枠（３４）と重なり合うように固定された透明なカバー（１７）と、を有することを特徴とする電気掃除機である。
【００１６】
この構成によれば、カバーを介して窓からロータリブラシの両端部が床面のゴミを掻き上げていることを視認できる。また、カバーは、窓の枠と重なり合っているので、ヘッドケースの左右両端部の強度を高めることができる。
また、請求項９に記載の発明のように、上記ロータリブラシ（９）は、請求項１〜７のいずれかに記載のロータリブラシであることを特徴とする請求項８に記載の電気掃除機（１）であれば、窓を介してロータリブラシによりゴミが偏りなく掻き上げられていることを視認できる。
【発明を実施するための最良の形態】
【００１７】
以下では、この発明の実施の形態を、添付図面を参照して詳細に説明する。
図１は、この発明の一実施形態にかかる電気掃除機１の構成を示す正面図であり、図２は、電気掃除機１の左側面図である。また、図３は、電気掃除機１を前後方向に沿った鉛直面で切断したときの断面を左側からみた断面図である。
図１〜図３を参照して、この電気掃除機１は、床面に沿って移動される吸引ヘッド３と、この吸引ヘッド３に対して一端部（下端部）が回動可能に取付けられた長尺形状の本体４とを備え、本体４の他端部（上端部）に形成されたハンドル５を把持して、本体４を鉛直方向に対して後方に所定角度（たとえば、６０°〜８０°）だけ傾けた姿勢で使用することができる、いわゆるアップライト型（縦型）の掃除機である。吸引ヘッド３の下部および本体４の下部には、それぞれ左右１対の車輪２Ａ，２Ｂが回転可能に取付けられており、これらの車輪２Ａ，２Ｂを床面に沿って転がすことにより、電気掃除機１をスムーズに移動させることができる。この電気掃除機１は、使用しないときには、吸引ヘッド３に対して本体４を鉛直方向に起立させた姿勢（図１〜図３に示す姿勢）で保持しておくことができる。
【００１８】
吸引ヘッド３の底面前側には、吸込み口６が形成されている。本体４には、吸引ヘッド３の後側に、モータと、このモータによって回転駆動されるファンとを含む電動送風機７が配置されている。この電気掃除機１を用いて掃除を行う際には、電動送風機７を駆動することにより、吸込み口６の外側の空気とともに、吸込み口６に対向する床面上のゴミが吸込み口６から吸引ヘッド３内に吸い込まれる。
【００１９】
吸引ヘッド３の内部前側には、左右方向に延びる回転軸９Ａを中心に回転可能なロータリブラシ９が配置されており、この回転ブラシ９の周面が吸込み口６に臨んでいる。電動送風機７のモータの回転力は、ロータリブラシ９の回転軸９Ａに伝達されるようになっている。したがって、電動送風機７が駆動されると、回転ブラシ９が回転されて、床面の塵埃等のゴミが回転ブラシ９により掻き上げられ、そのゴミが吸込み口６から吸引ヘッド３内へ吸い込まれる（後述する）。
【００２０】
吸引ヘッド３の両端部の上面には、透明な部材で形成されるカバー１７がそれぞれ取付けられており、カバー１７を介してロータリブラシ９の両端部を視認することができるようにされている（後述する）。
本体４には、吸引ヘッド３から吸い込まれた空気に含まれる塵埃等のゴミを捕獲するための集塵装置１０が着脱自在に取付けられている。集塵装置１０には入口１２が形成されていて、吸引ヘッド３に一端部が連結されたホース１３の他端部が、集塵装置１０の入口１２に接続されている。これにより、吸込み口６から吸引ヘッド３に吸い込まれた空気およびゴミは、ホース１３内を通って集塵装置１０側へと送られ、入口１２から集塵装置１０内に取り込まれるようになっている。集塵装置１０内に空気とともに吸い込まれたゴミは、集塵装置１０内を通過する過程で捕獲され、空気だけが集塵装置１０の前面に形成された出口１４から排出される。集塵装置１０の出口１４から排出された空気は、本体４内を通って、本体４の前面下部に形成された排気口１５から機外に排出される。
【００２１】
本体４の後面上部には、ホース１３の途中部を下方から支持するためのホース支持部８が突出形成されており、ホース１３が下垂しないように支持されている。また、本体４の左側面（図１においては、右側の側面）の下部には、ホース係止部１６が設けられている。
吸引ヘッド３に連結されたホース１３の一端部は、その連結状態を解除して吸引ヘッド３から取り外し可能とされている。これにより、ホース１３の一端部を吸引ヘッド３から取り外して、ホース１３を自由に動かすことができ、たとえば、机上や窓枠等のゴミを、ホース１３の一端部から吸い込むことができる。このとき、ユーザは、ホース１３の途中部を、図４に示すように、ホース係止部１６に係止させる。
【００２２】
これにより、ホース１３を吸引ヘッド３から取り外して掃除を行う場合に、ホース１３が煩雑に拡がるのを防ぐことができる。また、ホース係止部１６は本体１４の下部に設けられているので、ホース１３がホース係止部１６に係止された状態で引っ張られても、電気掃除機１は転倒しない。また、ホース係止部１６は本体１４の左側面に設けられているので、ホース１３がホース係止部１６に係止された状態で引っ張られても、電気掃除機１が前後に傾かない。よって、電気掃除機１が前に傾いて、回転しているロータリブラシ９により床面が傷つくようなこともない。なお、ホース係止部１６は、本体２の右側面に設けられていてもよい。また、必要に応じて、ホース１３の一端部に吸込みノズル等の部材を取り付けることもできる。
【００２３】
図５は、吸引ヘッド３を底面側からみた状態を詳しく示す図である。なお、図５においては、一部が切り欠かれて示されている。
吸引ヘッド３は、吸引ヘッド３の外観を構成するヘッドケース２０と、ヘッドケース２０内に回転可能に設けられた長手のロータリブラシ９とが備えられている。
ヘッドケース２０の下面には、吸込み口６が形成されている。
【００２４】
ロータリブラシ９には、その周面に複数のブラシ束２６が植立されている回転軸９Ａが備えられている。そして、回転軸９Ａには、水平方向に延びる長手の略円柱状の中央回転軸２１と、中央回転軸２１の両端部の周面にそれぞれ外嵌されている軸受２２と、中央回転軸２１の両端にそれぞれ取付けられ、中央回転軸２１と同一軸線上に位置する端部回転軸２３とが備えられている。
【００２５】
中央回転軸２１の一端部近傍には、プーリ２４が形成されており、プーリ２４にベルト２５が巻回されている。そして、プーリ２４およびベルト２５を介して、前述のように電動送風機７のモータの回転力が中央回転軸２１に伝達され、中央回転軸２１およびそれに取付けられている端部回転軸２３が一体的に回転される。
中央回転軸２１周面のブラシ束２６は、中央回転軸２１の軸方向と直交するように植立されている。また、中央回転軸２１の周面に植立された複数のブラシ束２６は、軸方向に並び、かつ、螺旋状に延びており、２列の螺旋列２７を構成している。また、２列の螺旋列２７は、中央回転軸２１の回転方向に１８０°隔てるように配置されている。
【００２６】
軸受２２は、中央回転軸２１を回転自在に保持するためのものであり、略環状の部材である。そして、軸受２２は、ヘッドケース２０に設けられた係止部２８に固定されている。これにより、中央回転軸２１およびそれに取付けられた端部回転軸２３は、軸受２２を介して、ヘッドケース２０に回転自在に保持される。
図６は、端部回転軸２３の構成を詳しく示す図である。
【００２７】
端部回転軸２３は、略円柱状の部材であって、その径が中央回転軸２１の径とほぼ同一になるようにされている。端部回転軸２３の周面に植立された複数のブラシ束２６は、軸方向に直線上に並ぶ第１傾斜列２９および第２傾斜列３０を構成している。
第１傾斜列２９のブラシ束２６は、端部回転軸２３の周面に、中央回転軸２1側へ向かって鉛直方向に対して所定角度（たとえば、１５°〜４５°）傾くように植立されている。すなわち、第１傾斜列２９のブラシ束２６は、ロータリブラシ９の軸方向中心側へ向かって傾くように植立されている。
【００２８】
第２傾斜列３０のブラシ束２６は、端部回転軸２３の周面に、端部回転軸２３の端部側へ向かって鉛直方向に対して所定角度（たとえば、１５°〜４５°）傾くように植立されている。すなわち、第２傾斜列３０のブラシ束２６は、ロータリブラシ９の軸方向端部へ向かって傾くように植立されている。
これにより、端部回転軸２３が回転したときに、端部回転軸２３と対向する床面に対してブラシ束２６が接触する領域が大きくなり、ブラシ束２６がゴミを良好に掻き上げる。
【００２９】
第１傾斜列２９および第２傾斜列３０は、端部回転軸２３の回転方向に１８０°隔てるように配置されており、さらに、端部回転軸２３が回転した際に、第１傾斜列２９の各ブラシ束２６の先端が回転する回転軌跡と、第２傾斜列３０の各ブラシ束２６が回転する回転軌跡とが重なり合わないように、各ブラシ束２６の植立位置および傾斜角度が設定されている。すなわち、第１傾斜列２９の各ブラシ束２６先端の隙間の回転軌跡に第２傾斜列３０の各ブラシ束２６先端の回転軌跡が重なり合い、同様に、第２傾斜列３０の各ブラシ束２６先端の隙間の回転軌跡に第１傾斜列２９の各ブラシ束２６先端の回転軌跡が重なり合うようにされている。
【００３０】
これにより、端部回転軸２３が回転したときに、端部回転軸２３と対向する床面に対してブラシ束２６が接触する領域が大きくなり、ブラシ束２６がゴミを良好に掻き上げ、ゴミの吸い残しがなくなる。
図７は、ロータリブラシ９の構成を示す図であり、端部回転軸２３が断面状態で示されている。
【００３１】
端部回転軸２３の外側端面、すなわち、中央回転軸２１側と反対側の端面には、軸方向中心に向かって凹んだ凹部３１が形成されている。
凹部３１は、端部回転軸２３の外側端面から軸方向中心に向かって徐々に狭くなる円錐状に形成されている。そして、凹部３１に取付ネジ３２が埋設されている。
取付ネジ３２は、端部回転軸２３を中央回転軸２１に取付けるためのネジであって、凹部３１の先端から中央回転軸２１に向かって延びている。そして、端部回転軸２３および中央回転軸２１に螺合しており、それらの軸線上に位置している。これにより、端部回転軸２３が中央回転軸２１に、軸線を同一として一体的に取付けられる。
【００３２】
図８は、吸引ヘッド３を前後方向に沿った鉛直面で切断したときの断面を左側からみた断面図である。
吸引ヘッド３のヘッドケース２０の上面両端部には、それぞれ窓３３が形成されている（なお、図８においては、窓３３は１つのみ示されている）。窓３３の周囲のヘッドケース２０の部分は窓枠３４とされており、窓枠３４にカバー１７が取付けられている。
【００３３】
カバー１７は、透明な部材で構成されており、断面形状が緩やかに丸みを帯びている。そして、カバー１７は、その端部の上面が窓枠３４の下面に重ねられ、その重なった部分がネジ３５によって固定されることにより、ヘッドケース２０に取付けられている。これにより、窓枠３４の部分は、カバー１７および窓枠３４の二重構造とされている。
そして、電気掃除機１を用いて掃除が行われると、電動送風機７の回転力がプーリ２４およびベルト２５を介して、中央回転軸２１に伝わり、中央回転軸２１とともに端部回転軸２３が回転する。このとき、吸引ヘッド３が床面に沿うように移動することで、中央回転軸２１および端部回転軸２３のブラシ束２６が床面に接触し、床面のゴミが掻き上げられて吸引ヘッド３内に吸い込まれる。また、ユーザは、カバー１７を介して窓３３から端部回転軸２３のブラシ束２６がゴミを掻き上げているのを視認することができる。
【００３４】
以上のように、この実施形態では、第１傾斜列２９のブラシ束２６は、ロータリブラシ９の軸方向中央側へ向かって傾くように植立され、第２傾斜列のブラシ束２６は、ロータリブラシ９の軸方向端部へ向かって傾くように植立されているので、掃除時にロータリブラシ９が回転した際に、ロータリブラシ９の両側各領域の軸方向中心側と対向する床面のゴミを第１傾斜列２９のブラシ束２６が掻き上げ、ロータリブラシ２９の両側各領域の軸方向端部側と対向する床面のゴミを第２傾斜列３０のブラシ束２６が掻き上げる。よって、床面にブラシ束２６が偏りなく接触する。ゆえに、ブラシ束２６が床面に接触する領域を大きくして、床面にゴミの吸い残しがないよう良好に掃除を行うことができる。
【００３５】
また、第１傾斜列２９および第２傾斜列３０は、端部回転軸２３の回転方向において、１８０°隔てて配置されているので、端部回転軸２３を回転させた際にブラシ束２６がバランスよく床面に接触する。よって、バランスよくゴミを掻き上げることができる。
また、第１傾斜列２９の各ブラシ束２６先端の隙間の回転軌跡に第２傾斜列３０の各ブラシ束２６先端の回転軌跡が重なり合い、同様に、第２傾斜列３０の各ブラシ束２６先端の隙間の回転軌跡に第１傾斜列２９の各ブラシ束２６先端の回転軌跡が重なり合うので、ブラシ束２６の先端が偏りなく床面に接触する。よって、ブラシ束２６が床面に接触する領域を大きくして、床面にゴミの吸い残しがないよう良好に掃除を行うことができる。
【００３６】
また、中央回転軸２１の周面には、ブラシ束２６の列である螺旋列２７が形成されているので、中央回転軸２１と対向する床面のゴミを良好に掻き上げることができる。
また、端部回転軸２３に形成されている凹部３１は、円錐状に凹んでいるので、掃除時に端部回転軸２３（ロータリブラシ９）を回転させて床面のゴミを掻き上げる際に、そのゴミが凹部３１に進入しても、遠心力によりゴミが外方に飛散する。よって、ゴミが凹部３１に蓄積するのを防ぐことができ、端部回転軸２３を清潔に保つことができる。また、凹部３１へのゴミの進入を防ぐためにキャップ等を被せる必要もないので、簡易な構成で端部回転軸２３を清潔に保つことができる。
【００３７】
また、凹部３１内に、端部回転軸２３を中央回転軸２１に取付けるための取付ネジ３２が埋設されているので、取付ネジ３２が端部回転軸２３の外部の露出することがなく、取付ネジ３２が掃除の弊害になることがない。
また、ヘッドケース２０の上面両端部には窓３３がそれぞれ形成されており、その窓に
それぞれ透明なカバー１７が嵌められているので、カバー１７を介して窓３３から端部回転軸２３のブラシ束２６が床面のゴミを偏りなく掻き上げていることを視認できる。また、ヘッドケース２０の上面両端部は、カバー１７および窓枠３４が重なり合い二重構造とされているので、ヘッドケース２０の両端部の強度を高めることができる。
【００３８】
この発明は、以上説明した実施形態に限定されるものではなく、請求項記載の範囲内において種々の変更が可能である。
たとえば、上述の説明では、端部回転軸２３には、第１傾斜列２９および第２傾斜列３０が回転方向において１８０°隔てて配置される構成としたが、たとえば、９０°隔てて配置されるものであってもよく、その角度間隔は１８０°に限られない。
【００３９】
また、端部回転軸２３には、ブラシ束２６の列として第１傾斜列２９および第２傾斜列３０の２列が形成されている構成としたが、３列以上の複数列が形成される構成であってもよい。同様に、中心回転軸２１に螺旋列２７が３列以上形成される構成であってもよい。
また、ロータリブラシ９は、アップライト型電気掃除機である電気掃除機１に用いられる構成としたが、アップライト型電気掃除機以外の電気掃除機に用いられる構成であってもよい。
【図面の簡単な説明】
【００４０】
【図１】この発明の一実施形態にかかる電気掃除機の構成を示す正面図である。
【図２】電気掃除機の左側面図である。
【図３】電気掃除機を前後方向に沿った鉛直面で切断したときの断面を左側からみた断面図である。
【図４】ホースの途中部を、ホース係止部に係止させた状態の電気掃除機の左側面図である。
【図５】吸引ヘッドを底面側からみた状態を詳しく示す図である。
【図６】端部回転軸の構成を詳しく示す図である。
【図７】ロータリブラシの構成を示す図である。
【図８】吸引ヘッドを前後方向に沿った鉛直面で切断したときの断面を左側からみた断面図である。
【符号の説明】
【００４１】
１      電気掃除機
３      吸引ヘッド
４      本体
９      ロータリブラシ
９Ａ    回転軸
１７    カバー
２０    ヘッドケース
２１    中央回転軸
２２    軸受
２３    端部回転軸
２６    ブラシ束
２７    螺旋列
２９    第１傾斜列
３０    第２傾斜列
３１    凹部
３２    取付ネジ
３３    窓
３４    窓枠
【図１】
2006174954.tif 000003
【図２】
2006174954.tif 000004
【図３】
2006174954.tif 000005
【図４】
2006174954.tif 000006
【図５】
2006174954.tif 000007
【図６】
2006174954.tif 000008
【図７】
2006174954.tif 000009
【図８】
2006174954.tif 000010